(57)【要約】【課題】  自治体や企業では、空調の運転や温度設定について規則を設け運用することが多い。しかし、各自が勝手に空調リモコンを操作してしまうと規則通りの運用ができない。【解決手段】  扉の施解錠及び入退室管理を行う制御装置３、個人情報を読み取って制御装置３に信号を送り、制御装置３を動作させる個人認証装置１ａ、１ｂ、及び制御装置３に内蔵され、個人認証装置１ａ、１ｂの読み取り情報に基づいて空調機の運転操作を許可する内容を予め設定した設定テーブルを備え、制御装置３は、個人認証装置１ａ、１ｂが個人情報を読み取ったとき上記設定テーブルの設定内容を上記空調機の制御装置５に送るようにしている。このため、空調機の操作を予め設定した管理者にしか許可しないシステムを提供できる。しかも、入退室管理のＩＤカードを利用できるため新たにカードを発行する必要がない。【選択図】図１
2005140422.tif 000002
【特許請求の範囲】
【請求項１】
扉の施解錠及び入退室管理を行う制御装置、個人情報を読み取って上記制御装置に信号を送り、上記制御装置を動作させる個人認証装置、及び上記制御装置に内蔵され、上記個人認証装置の読み取り情報に基づいて空調機の運転操作を許可する内容を予め設定した設定テーブルを備え、上記制御装置は、上記個人認証装置が個人情報を読み取ったとき上記設定テーブルの設定内容を上記空調機の制御装置に送るようにしたことを特徴とする入退室管理システム。
【請求項２】
上記個人認証装置を、上記空調機を制御するリモコンの近傍に設置したことを特徴とする請求項１に記載の入退室管理システム。
【請求項３】
上記設定テーブルは、空調機の操作許可レベルを複数設けると共に個人毎に操作許可レベルを記憶していることを特徴とする請求項１または請求項２に記載の入退室管理システム。
【請求項４】
上記扉の施解錠及び入退室管理を行う制御装置は、上記個人認証装置の操作に基づいて得られた部屋の在室情報を考慮して上記空調機の運転操作を許可する内容を修正するようにしたことを特徴とする請求項１〜請求項３のいずれか一項に記載の入退室管理システム。
【発明の詳細な説明】
【技術分野】
【０００１】
この発明は、扉の施解錠及び入退室管理等のセキュリティと空気調和（空調）の管理とを行うことのできる入退室管理システムに関するものである。
【背景技術】
【０００２】
空調の管理システムとして、個人が使用するエリア内を快適な環境にするため、そのエリアを使用する作業者の個人情報を入力する情報入力手段と、その快適度を検出する快適度検出手段と、その作業者が外出から帰った状態かどうかを検知する検知手段と、検知手段がその作業者の外出帰りを認識した場合には、個人情報に含まれるその作業者の環境対応度と快適度検出手段が検出したその作業者の快適度とに応じた空調吹出し条件を設定するとともに、情報入力手段が入力したその作業者の個人情報に対応した空調吹出し条件を設定する制御手段を備えたものが特許文献１に開示されている。
【０００３】
【特許文献１】特開平６−３２３６００号公報
【発明の開示】
【発明が解決しようとする課題】
【０００４】
上記特許文献１に開示されている技術は、個人情報を利用して、個々の作業者の好みに合った空調環境を自動的に設定するもので、全体の空調管理を合理的に行うものではない。特に近年、地球温暖化の原因となる二酸化炭素の排出を抑制するため省エネが叫ばれ、自治体や企業においては空調の運転や温度設定について規則を設け運用することが多くなっている。しかし、各自が勝手に空調リモコンを操作してしまうと規則通りの運用ができなくなる。この発明は、空調の管理を徹底するため、管理者を任命し、入退室管理のセキュリティシステムに用いる個人情報を利用して、扉の施錠、解錠を行うとともに所定の管理者にリモコンを操作する権限を与えるようにしたものである。
【課題を解決するための手段】
【０００５】
この発明に係る入退室管理システムは、扉の施解錠及び入退室管理を行う制御装置、個人情報を読み取って上記制御装置に信号を送り、上記制御装置を動作させる個人認証装置、及び上記制御装置に内蔵され、上記個人認証装置の読み取り情報に基づいて空調機の運転操作を許可する内容を予め設定した設定テーブルを備え、上記制御装置は、上記個人認証装置が個人情報を読み取ったとき上記設定テーブルの設定内容を上記空調機の制御装置に送るようにしたものである。
【発明の効果】
【０００６】
この発明によれば、扉の施解錠及び入退室管理システムにおいて、空調機の運転操作を、あらかじめ設定した管理者にしか許可しないシステムを提供できる。しかも、入退室管理システムのＩＤカードを用いて空調の管理ができ、新たにカードを発行する必要がないと共に、空調の制御装置に大幅な改造をすることなく実現できる。また、空調操作許可用のカードリーダを空調リモコンの近くに設置することにより、操作をスムーズに行える。さらに、操作レベルに応じて複数の人が操作できるようにして、省エネと利便性とのバランスを取ることができる。さらにまた、空調機運転操作の権限を持った管理者が、休暇や出張あるいは深夜などで不在の時も代理人による操作が可能である。
【発明を実施するための最良の形態】
【０００７】
実施の形態１．
以下、この発明の実施の形態１を、図１を参照して説明する。図１はこの発明に係る入退室管理システムを示すものである。本システムにおいては、部屋の扉の近くに個人認識装置であるカードリーダ１ａが設置されている。利用者は、個人情報が記録された操作媒体であるＩＤカード２でカードリーダ１ａを操作して入室もしくは退室（以下、入退室）をする。制御装置３はカードリーダ１ａから送信されてくるＩＤ番号から入退室が許可されるか否かを判別する。入退室が可能と判断されれば、電気錠７に対して解錠出力を出し、利用者は部屋の出入りができる。ここで、カードリーダを扉の内側と外側の両方に設ければ個人ごとの入室情報と退室情報が管理でき、それをもとに部屋の在室者情報、つまり、だれとだれが部屋の中にいるかという情報を得ることができる。この入退室の状況は監視操作端末（パソコン）４の操作により監視可能になされている。
【０００８】
部屋には空調機制御用の空調リモコン６があり、空調リモコン６では、以下の制御ができるようになされている。
（Ａ）設定温度の変更
（Ｂ）運転モードの設定（冷房、暖房、ドライ、送風など）
（Ｃ）空調のオン
（Ｄ）空調のオフ
空調リモコン６は空調制御装置５に有線または無線で接続されている。空調制御装置５は空調機（図示せず）および空調リモコン６の監視、制御を行うものである。空調リモコン６の近くには、部屋への出入りに使用するカードリーダ１ａとは別に、カードリーダ１ｂが設置される。リモコンが複数ある場合は、リモコン１台につきカードリーダ１台をセットで配置する。カードリーダ１ｂは、部屋の出入りに使用するＩＤカード２により操作される。カードリーダ１ｂを操作すると、制御装置３は操作されたカードリーダ１ｂからの信号を受けて、カードリーダ番号及びカードのＩＤ番号に従い判定を行い、その結果得た許可リモコン番号及び空調操作レベルを空調制御装置５に対して出力する。空調制御装置５は受け取った許可リモコン番号及び空調操作レベルに従って空調リモコン６の操作を許可する。これによりリモコンの操作が可能となる。なお、空調リモコン６毎にカードリーダ１ｂを設置する必要のないときには、カードリーダ１ａにより、カードリーダ１ｂの動作も兼ねさせることが可能である。
【０００９】
ＩＤ番号に対する許可リモコン番号、空調操作レベルは、例えば図２の設定テーブルで予め制御装置３内に設定されている。図２において、操作レベルＡ〜Ｄは次のように区分される。また、在室者情報を得て、その人より上のレベルの人が部屋に不在のときに許可内容が修正されるレベルも図２の設定テーブルで割り当てられている。
レベルＡ：温度設定
レベルＢ：運転モード設定（冷房／ドライ／送風／暖房）
レベルＣ：オン設定
レベルＤ：オフ設定
この図２の設定テーブルに基づき、例えばＩＤ番号０００１の管理責任者（主）は、番号１、番号２のリモコンに対してレベルＡ（温度設定）の操作ができる。
【００１０】
次に、制御装置３の動作を、図２の設定テーブル、図３の操作したカードリーダとそれにより許可するリモコンとを対比するテーブル、および図４のフローチャートを用いて説明する。ステップＳ１で、部屋の在室者情報を得る。在室者情報は、例えばカードリーダを扉の内側と外側の両方に設けて個人ごとの入室情報と退室情報を管理し、それをもとに、だれとだれが部屋の中にいるかという情報を得ることができる。この在室者情報を得る目的は、例えば、図２の設定に基づいて、ある運転操作の権限を与えられている管理者が不在のときでも、「自分より上のレベルの人が不在のときに許可されるレベル」に修正して、代理人による操作を可能にするためである。ステップＳ２では、ステップＳ１で得た在室者情報と図２の設定テーブルとから、ＩＤ番号ごとの許可リモコン番号と空調操作レベルを得る。ステップＳ３で、カードリーダ１ｂの操作を待ち、操作があればステップＳ４へ進み、操作をした人のＩＤ番号に対応する許可リモコン番号と空調操作レベルを得て、ステップＳ５に進む。ステップＳ５では、図３のテーブルに従って、操作されたカードリーダ番号１ｂ、１ｃ・・・と許可リモコン番号１、２・・・の一致を確認し、一致していなければＳ１に戻り、一致していればＳ６に進み、許可リモコン番号及び空調操作レベルを空調制御装置５へ送信する。これにより、入室を許可された人が、図２のテーブルに従った範囲において、空調リモコン６の操作を行うことができる。
【００１１】
本実施の形態において、許可リモコン番号を設定テーブルに入れたのは、リモコンが複数あるときにきめこまやかな設定を行うためである。また、個人認証装置としてカードリーダを使用した例を示したが、指紋照合装置などで置き換えることもできる。さらに、セキュリティの管理として、部屋への入退室を例に取り上げたが、防犯、防災監視等と共用してもよいことはもちろんである。
【産業上の利用可能性】
【００１２】
この発明は、入退室管理のセキュリティと空調管理を組み合わせたシステムに適用できる。
【図面の簡単な説明】
【００１３】
【図１】この発明の実施の形態１に係る入退室管理システムを示す構成図である。
【図２】この発明で使用する設定テーブルの一例を示す図である。
【図３】この発明で使用するカードリーダと許可するリモコンとを対比するテーブルである。
【図４】この発明における制御装置の動作を説明するフローチャートである。
【符号の説明】
【００１４】
１ａ、１ｂ  カードリーダ、          ２  ＩＤカード、
３  制御装置、                      ４  監視操作端末（パソコン）、
５  空調制御装置、                  ６  空調リモコン、
７  電気錠。
【図１】
2005140422.tif 000003
【図２】
2005140422.tif 000004
【図３】
2005140422.tif 000005
【図４】
2005140422.tif 000006